(57)【要約】【課題】下方を向いた強磁性体からなる取付対象面に対して、照明器具を簡単に取り付けることができる照明器具の取付け用補助具を得る。【解決手段】強磁性体に吸着する吸着面１１ａを有する磁石１１と、吸着面１１ａが取付対象面５１の方を向く状態にして磁石１１を保持し、筐体保持部材２３の基部２３ａに沿って照明器具筐体２１の長手方向の任意の位置に装着される磁石保持部材１２とから補助具１０を構成する。そして、磁石保持部材１２の一部が、筐体保持部材２３の一部２３ｂに当接することにより、磁石保持部材１２が筐体保持部材２３の先端から抜け落ちないようにする。【選択図】図６
2019186017.tif 000002
【特許請求の範囲】
【請求項１】
下方を向いた取付対象面に対面する取付面を有する長尺の筐体と、
下方を照らすように前記筐体に取り付けられた長尺の照明体と、
前記筐体の長手方向両端に設けられた、前記取付面と略平行に前記長手方向に延びた表面を有する板状の基部と、該基部の外端から下方に向けて略直角に屈曲した板状の先端部とを有する一対の筐体保持部材と、
を有する照明器具を、前記取付対象面が強磁性体からなる場合に該取付対象面に磁力により吸着固定するための補助具であって、
強磁性体に吸着する吸着面を有する磁石と、
前記吸着面が前記取付対象面の方を向く状態にして前記磁石を保持し、前記筐体保持部材の基部に沿って前記長手方向の任意の位置に装着される磁石保持部材とからなり、
前記磁石保持部材の一部が、前記筐体保持部材の一部に当接することにより該磁石保持部材が前記筐体保持部材の先端から抜け落ちないように構成されていることを特徴とする照明器具の取付け用補助具。
【請求項２】
前記一対の筐体保持部材の少なくとも一方の基部が前記筐体に対して、該筐体の長手方向にスライド自在に保持されている照明器具に用いられる請求項１に記載の照明器具の取付け用補助具。
【請求項３】
板状の第１部分と、この第１部分から略直角に屈曲した板状の第２部分とを有する断面Ｌ字状の部材から前記磁石保持部材が構成され、
前記第１部分の外面に前記磁石が保持され、
前記第２部分に、前記筐体保持部材の基部を挿通させ得るスリットが形成され、
前記スリットに前記基部を挿通させた状態において、前記第１部分および第２部分が前記基部に対して前記長手方向に移動自在で、かつ、前記第２部分の外面が前記筐体保持部材の先端部の内面に当接可能となっている請求項１または２に記載の照明器具の取付け用補助具。
【請求項４】
前記スリットの長手方向両端部が共に閉じられている請求項３に記載の照明器具の取付け用補助具。
【請求項５】
前記スリットの長手方向両端部のうち、一方の端部が前記第２部分の側端縁に開口している請求項３に記載の照明器具の取付け用補助具。
【請求項６】
前記磁石および磁石保持部材の組が、一対の前記筐体保持部材の各々に１組ずつ対応させて、合計２組設けられている請求項１から５いずれか１項に記載の照明器具の取付け用補助具。
【発明の詳細な説明】
【技術分野】
【０００１】
本発明は、長尺の筐体に照明体が取り付けられてなる照明器具を、下方を向いた取付対象面に取り付けるための補助具に関するものである。
【背景技術】
【０００２】
従来、例えば商品陳列棚の棚板下面や、部屋の天井に取り付けられて、主に下方を照らすように用いられる照明器具が知られている。なお本明細書において、この「下方」とは、照明器具が取り付けられた状態での下方、つまり鉛直方向における下向きの方向を意味する。この種の照明器具としてより具体的には、特許文献１や２に記載されているように、下方を向いた取付対象面に対面する取付面を有する長尺の筐体と、下方を照らすように筐体に取り付けられた照明体とを有してなるものが知られている。
【０００３】
さらに近時は、上述のような筐体と照明体とを有してなる照明器具において、筐体の長手方向両端にフック状の筐体保持部材を設けた照明器具も知られている。このフック状の筐体保持部材は、筐体の取付面と略平行に筐体長手方向に延びた表面を有する板状の基部と、この基部の外端から下方に向けて略直角に屈曲した板状の先端部とを有するものであり、筐体保持部材を棚板の下面等にねじ止めする等により、棚板等に取り付けることができる。また、この種の筐体保持部材として特に、上記基部が筐体の長手方向にスライド自在にして筐体に保持され、取付け部材として機能する一対の筐体保持部材の間隔を、棚板等の取付対象物の幅に適合するように調整可能としたものも知られている。
【先行技術文献】
【特許文献】
【０００４】
【特許文献１】特開２０１３−１７９０１４号公報
【特許文献２】特開２０１７−０３３７０８号公報
【発明の概要】
【発明が解決しようとする課題】
【０００５】
ところで、上述した棚板等は、鋼板等の強磁性体から構成されることも多い。本発明は、そのような強磁性体からなる下方を向いた取付対象面に対して、筐体保持部材に手を加えることなく照明器具を簡単に取り付けることができるようにする、照明器具の取付け用補助具を提供することを目的とする。
【課題を解決するための手段】
【０００６】
本発明による照明器具の取付け用補助具は、
下方を向いた取付対象面に対面する取付面を有する長尺の筐体と、
下方を照らすように筐体に取り付けられた長尺の照明体と、
筐体の長手方向両端に設けられた、上記取付面と略平行に筐体長手方向に延びた表面を有する板状の基部と、該基部の外端から下方に向けて略直角に屈曲した板状の先端部とを有する一対の筐体保持部材と、
を有する照明器具を、取付対象面が強磁性体からなる場合に該取付対象面に磁力により吸着固定するための補助具であって、
強磁性体に吸着する吸着面を有する磁石と、
吸着面が取付対象面の方を向く状態にして磁石を保持し、筐体保持部材の基部に沿って上記長手方向の任意の位置に装着される磁石保持部材とからなり、
磁石保持部材の一部が、筐体保持部材の一部に当接することにより該磁石保持部材が筐体保持部材の先端から抜け落ちないように構成されていることを特徴とするものである。
【０００７】
上記構成を有する本発明による照明器具の取付け用補助具においては、一対の筐体保持部材の少なくとも一方の基部が、筐体に対して該筐体の長手方向にスライド自在に保持されていることが望ましい。
【０００８】
また、本発明による照明器具の取付け用補助具の好ましい実施形態においては、
板状の第１部分と、この第１部分から略直角に屈曲した板状の第２部分とを有する断面Ｌ字状の部材から磁石保持部材が構成され、
第１部分の外面に磁石が保持され、
第２部分に、筐体保持部材の基部を挿通させ得るスリットが形成され、
スリットに上記基部を挿通させた状態において、第１部分および第２部分が筐体保持部材の基部に対して上記長手方向に移動自在で、かつ、第２部分の外面が筐体保持部材の先端部の内面に当接可能とされる。
【０００９】
なお、上記の説明において「第１部分の外面」とは、第２部分から遠い方の表面を指すものである。
【００１０】
また上記の説明において「第２部分の外面」とは、第１部分から遠い方の表面を指すものである。
【００１１】
また上記の説明において「筐体保持部材の先端部の内面」とは、先端部の筐体側の表面を指すものである。
【００１２】
本発明による照明器具の取付け用補助具において、スリットの長手方向両端部は共に閉じられていてもよい。
【００１３】
あるいは、スリットの長手方向両端部の一方の端部は、第２部分の側端縁に開口していてもよい。
【００１４】
また、本発明による照明器具の取付け用補助具の好ましい実施形態においては、磁石および磁石保持部材の組が、一対の筐体保持部材の各々に１組ずつ対応させて、合計２組設けられる。
【００１５】
あるいは、上記磁石および磁石保持部材の組が、一対の筐体保持部材の一方だけに対応させて、１組だけ設けられてもよい。
【発明の効果】
【００１６】
本発明による照明器具の取付け用補助具は、吸着面が取付対象面の方を向く状態にして磁石を磁石保持部材に保持した構成を有するので、この取付け用補助具によれば、下方を向いた強磁性体（磁石が吸着可能な材料）からなる取付対象面に上記磁石を吸着させることにより、照明器具を取付対象面に簡単に取り付けることができる。また本発明による照明器具の取付け用補助具は、磁石保持部材を筐体保持部材の基部に沿って筐体の長手方向任意の位置に装着可能としたので、この取付け用補助具によれば、磁石保持部材の位置つまりは磁石の位置を、取付対象面の幅に適合した好ましい位置に調整可能となる。
【図面の簡単な説明】
【００１７】
【図１】本発明の第１実施形態による照明器具の取付け用補助具を示す斜視図
【図２】図１の補助具を、図１とは異なる方向から見た状態を示す斜視図
【図３】本発明の取付け用補助具が用いられる照明器具の一例を示す平面図
【図４】補助具を用いない照明器具の取付け状態の一例を示す斜視図
【図５】補助具を用いない照明器具の取付け状態の他の例を示す斜視図
【図６】図１の補助具を用いた照明器具の取付け状態を示す側面図
【図７】図１の補助具と照明器具との組み合わせを説明する概略図
【図８】図６に示す構成の一部を、図６とは異なる方向から見た状態を示す斜視図
【図９】本発明の第２実施形態による照明器具の取付け用補助具を示す斜視図
【図１０】本発明の第３実施形態による照明器具の取付け用補助具を示す斜視図
【発明を実施するための形態】
【００１８】
以下、図面を参照して本発明の実施形態について説明する。図１は、本発明の第１実施形態による照明器具の取付け用補助具（以下、単に補助具という）１０の斜視形状を示すものであり、図２はこの補助具１０を図１とは異なる方向から見た斜視形状を示している。また図３は、図１の補助具１０を用いて取り付けられ得る照明器具２０の一例を示す平面図であり、図４はこの照明器具２０が補助具１０を用いずに取り付けられる状態の一例を示している。
【００１９】
まず図３および図４を参照して、照明器具２０について説明する。なお図３は照明器具２０を下方側から見た状態を示し、図４は、照明器具２０が例えば木製の棚板３０に取り付けられる状態を示している。上記の「下方」とは前述した通り、照明器具２０が取付け状態にある場合の下方、つまり鉛直方向の下方を意味するものである（以下、同様）。図４において破線で示す棚板３０は、例えば商品陳列棚を構成するものであり、下方を向いた取付対象面３０ａを有する。
【００２０】
照明器具２０は、上記取付対象面３０ａに対面する取付面２１ａを有する長尺の筐体２１と、下方を照らすように筐体２１に取り付けられた照明体２２と、筐体２１の長手方向両端にそれぞれ設けられたスライドフック２３とを有する。なお本例では上記照明体２２として、複数のＬＥＤ（light emitting diode）発光素子が用いられている。しかしこれに限らず、照明体としてその他の蛍光ランプ等が用いられても構わない。筐体２１は例えばアルミニウム板等の金属板や合成樹脂等から構成され、図示外の点灯回路等を収容している。照明器具２０はさらに、筐体２１の両端にそれぞれ配されて、上記点灯回路と配線２４を介して接続された給電用コネクタ２５を有している。
【００２１】
スライドフック２３は、本発明における筐体保持部材を構成するものであり、筐体２１の取付面２１ａと略平行な表面を有する板状の基部２３ａと、この基部２３ａの外端から下方に向けて略直角に屈曲した板状の先端部２３ｂとを有する。上記基部２３ａには、取付孔２３ｃが設けられている。本例において基部２３ａは、筐体２１に対して、該筐体２１の長手方向にスライド自在に保持されている。このようなスライドフック２３は例えば鋼板等から形成されているが、それに限らず、その他合成樹脂等から形成されてもよい。
【００２２】
図４に示す木製の棚板３０に照明器具２０を取り付ける際には、図示のように、各スライドフック２３の基部２３ａの下側から取付ねじ３１が取付孔２３ｃに通され、これらの取付ねじ３１が棚板３０の取付対象面３０ａに締め付けられる。それにより照明器具２０は、筐体２１の取付面２１ａが取付対象面３０ａに接した状態で、この取付対象面３０ａに取り付けられる。なお、基部２３ａは、前述したように筐体２１にスライド自在に保持されているので、棚板３０の左右寸法に合わせて基部２３ａをスライドさせて、取付ねじ３１の取付位置を調整することも可能である。
【００２３】
その後、例えば電源コード３２を用いて照明器具２０に給電がなされる。この電源コード３２は、配線３３と、この配線３３の一端に接続されて上記給電用コネクタ２５と組み合わされるコネクタ３４と、配線３３の他端に接続されたプラグ３５とを有する。プラグ３５は例えば、棚板３０等によって構成される商品陳列棚において上下方向に延びるように配置されたラインコンセント（図示せず）に挿し込まれる。それにより、このプラグ３５、配線３３およびコネクタ３４を介して照明器具２０に給電がなされる。なお図４では、一方の給電用コネクタ２５と電源コード３２との接続状態を示しているが、ラインコンセントとの位置関係等によっては上記の接続状態とする代わりに、他方の給電用コネクタ２５に電源コード３２を接続して、この他方の給電用コネクタ２５側から給電することも可能である。
【００２４】
照明器具２０は、以上説明した棚板３０とは別の取付対象部に取り付けることも可能である。以下、図５を参照して、この別の取付対象部について説明する。なおこの図５において、既に説明したものと同等の要素には同番号を付してあり、それらについての説明は特に必要の無い限り省略する（以下、同様）。図５中に破線で示す取付対象部は、一対のブラケット４０である。これらのブラケット４０はそれぞれ、一端部に形成されて棚の背板等（図示せず）に組み付けられる基部４０ａと、他端部において上向きに延びるように形成されたフック部４０ｂと、上向きの載置面４０ｃとを有する。
【００２５】
照明器具２０は、両端に有る基部２３ａをそれぞれブラケット４０の載置面４０ｃ上に載せることにより、これらのブラケット４０に取り付けられる。基部２３ａは、ブラケット４０のフック部４０ｂと当接し得るので、照明器具２０がこれらのブラケット４０から前方（図５中の右方）に外れ落ちることが防止される。また、スライドフック２３の先端部２３ｂが各ブラケット４０の外側面に当接し得るので、照明器具２０がこれらのブラケット４０から左右外側方に外れ落ちることも防止される。
【００２６】
前述したように基部２３ａは、筐体２１にスライド自在に保持されているので、一対のブラケット４０の間隔に合わせて基部２３ａをスライドさせて、上記先端部２３ｂが各ブラケット４０の外側面に緊密に接する状態に調整することも可能である。この調整がなされれば、照明器具２０がブラケット４０の上で左右方向にガタつくことも防止される。基部２３ａのスライド可能範囲は、一例として筐体２１の全長が３００〜１２００ｍｍ程度の場合で、２０〜５０ｍｍ程度とされる。
【００２７】
次に図１および図２に示した本実施形態の補助具１０について説明する。この補助具１０は、強磁性体に吸着する吸着面１１ａを有する磁石１１と、上記吸着面１１ａが取付対象面の方を向く状態にして磁石１１を保持する磁石保持部材１２とから構成されている。磁石保持部材１２は、板状の第１部分１２ａと、この第１部分１２ａから略直角に屈曲した板状の第２部分１２ｂとを有する断面Ｌ字状の部材から構成されている。そして、上記第１部分１２ａの外面（第２部分１２ｂから遠い方の表面）には磁石１１が、例えば取付けねじ１３によって保持されている。また第１部分１２ａの第２部分１２ｂから遠い方の端部には、互いに間隔を置いて２つの当接部１２ｄが形成されている。一方、第２部分１２ｂには、スライドフック２３の基部２３ａを挿通させ得る細長いスリット１２ｃが形成されている。
【００２８】
上記補助具１０は図６に示すように、スリット１２ｃにスライドフック２３の基部２３ａを挿通させて、照明器具２０に組み付けられる。なお図６では、筐体２１の両端部のうち一方だけを示しているが、他方の端部においても同様にして補助具１０が照明器具２０に組み付けられる。この状態では２つの磁石１１の吸着面１１ａが、取付対象物５０の略水平方向に延びる取付対象面５１の方を向くようになる。そこで、取付対象面５１が鉄等の強磁性体からなるものである場合は、この取付対象面５１に２つの磁石１１の吸着面１１ａを磁力で吸着させることにより、照明器具２０を簡単に取り付けることができる。
【００２９】
なお、強磁性体からなる取付対象面５１としては、例えば鉄製のいわゆるスチール棚の下面が挙げられる。しかし、取付対象面５１はそれに限られるものではなく、部屋の天井に固定された照明器具取付け板の下表面や、部屋に設けられた鋼板製の梁部材の下表面等であってもよい。
【００３０】
ここで、照明器具２０に対する補助具１０の組み付けについて、図７を参照して詳しく説明する。まず補助具１０は、図７に矢印Ａで示すようにその内側、つまり第１部分１２ａと第２部分１２ｂとが向かい合っている側からスライドフック２３の先端部２３ｂがスリット１２ｃに挿通するように、照明器具２０と組み合わされる。そして、第２部分１２ｂの内面が基部２３ａの図中上表面と接する状態、あるいはそれに近い状態になったところで、図中の矢印Ｂで示すように補助具１０が回動される。すると、第１部分１２ａの内面（磁石１１が保持されている表面と反対側の表面）が基部２３ａの図中下表面に沿うと共に、第２部分１２ｂの外面が先端部２３ｂの内面（筐体２１に対向する表面）に沿った状態、つまり図６に示す状態となる。この図６に示す組付完了状態を、他の方向から見た状態を図８に示す。この図８では、前述したようにスライド自在である基部２３ａが挿通する筐体２１のスライドフック挿通孔を２１ｂとして示し、基部２３ａは図６の状態よりも筐体２１から外側に移動した状態を示している。
【００３１】
図６および図８に示すように、照明器具２０に補助具１０が組み付けられた状態では、磁石保持部材１２の第１部分１２ａおよび第２部分１２ｂが、スライドフック２３の基部２３ａに対して筐体２１の長手方向に移動自在となる。そして磁石保持部材１２の当接部１２ｄが、筐体２１の端部に当接可能となる。なお図６には、上記第２部分１２ｂが先端部２３ｂと接し、当接部１２ｄが筐体２１の端部と接している状態を示している。この状態は、照明器具２０に対する補助具１０の動きを抑える上で、特に好ましい状態である。
【００３２】
しかし、スライドフック２３の基部２３ａを、図６の状態よりも長く筐体２１から突出するようにスライドさせて、第２部分１２ｂが先端部２３ｂから離間し、当接部１２ｄが筐体２１の端部から離間した状態とし、この状態で照明器具２０を取付対象面５１に取り付けるようにしても構わない。つまり、第２部分１２ｂは先端部２３ｂに接していても、あるいは離間していてもよく、磁石保持部材１２は基部２３ａに沿って、筐体２１の長手方向の任意の位置に装着可能である。そして磁石保持部材１２が基部２３ａに沿ったどのような位置に装着されていても、第２部分１２ｂの外面（第１部分１２ａから遠い方の表面）は先端部２３ｂの内面（筐体２１側の表面）に当接可能であるから、磁石保持部材１２がスライドフック２３の先端から抜け落ちることが防止される。
【００３３】
次に図９を参照して、本発明の第２実施形態による照明器具の取付け用補助具６０について説明する。この補助具６０は、第１実施形態の補助具１０と対比すると、第２部分１２ｂに形成されたスリットの形状が異なるものである。すなわち、第１実施形態の補助具１０におけるスリット１２ｃは、その長手方向の両端部が共に閉じられているものである。それに対して本実施形態の補助具６０におけるスリット１２ｅは、その長手方向の両端部のうち、一方の端部が第２部分１２ｂの側端縁に開口している。このような形状のスリット１２ｅを有する補助具６０は、スライドフック２３の基部２３ａに対して側外方から挿し込むことにより、簡単に基部２３ａに装着できるという利点がある。
【００３４】
次に図１０を参照して、本発明の第３実施形態による照明器具の取付け用補助具７０について説明する。この補助具７０は、第１実施形態の補助具１０と対比すると、磁石保持部材１２において前述したスリット１２ｃあるいは１２ｅが設けられる代わりに、第２部分が一対の腕部１２ｆから構成されている点で異なる。この補助具７０において第１部分１２ａは、鋼板等の強磁性体から構成される。他方、この補助具７０が装着されるスライドフック２３の基部２３ａも、同様に鋼板等の強磁性体から構成されていることが必要である。
【００３５】
この補助具７０を、図６〜図８に示されるスライドフック２３の基部２３ａに装着する際には、基部２３ａの上面側から、一対の腕部１２ｆが基部２３ａを左右から挟むようにして、磁石保持部材１２が基部２３ａに押し当てられる。それにより、磁石１１は間に第１部分１２ａを介して、基部２３ａに磁力で吸着する。この状態になった後、２つの磁石１１を図６に示すように取付対象物５０の取付対象面５１ａに磁力で吸着させれば、照明器具２０が取付対象面５１ａに取り付けられる。
【００３６】
なお上記の補助具７０を用いる場合、補助具７０に対して照明器具２０は、磁石１１の磁力のみによって保持される。それに対して、第１実施形態の補助具１０や第２実施形態の補助具６０は、スリット１２ｃやスリット１２ｅの下側の内壁面が、照明器具２０を下から受けて保持することになる。その点を考慮すると、照明器具２０をより確実に補助具に保持する上では、補助具７０よりも、第１実施形態の補助具１０や第２実施形態の補助具６０の方がより好ましいと言える。
【００３７】
以上説明した実施形態の補助具１０、６０および７０によって取り付けられる照明器具２０は、筐体保持部材であるスライドフック２３の基部２３ａが、筐体２１の長手方向にスライド自在にして筐体２１保持されたものである。しかし本発明による照明器具の取付け用補助具は、一対の筐体保持部材の双方あるいは一方の基部が、スライド自在とはなっていない照明器具に対しても適用可能である。
【００３８】
さらに本発明による照明器具の取付け用補助具は、一対の筐体保持部材の一方だけに装着されてもよい。そうする場合、一対の筐体保持部材の他方の取付けは、例えば図４や図５に示したような方法によって行うことができる。
【符号の説明】
【００３９】
１０、６０、７０    照明器具の取付け用補助具
１１    磁石
１１ａ  磁石の吸着面
１２    磁石保持部材
１２ａ  磁石保持部材の第１部分
１２ｂ  磁石保持部材の第２部分
１２ｃ  磁石保持部材のスリット
１２ｄ  磁石保持部材の当接部
１２ｅ  磁石保持部材のスリット
１２ｆ  磁石保持部材の腕部
１３    磁石の取付けねじ
２０    照明器具
２１    筐体
２１ａ  筐体の取付面
２１ｂ  筐体のスライドフック挿通孔
２２    発光体
２３    スライドフック
２３ａ  スライドフックの基部
２３ｂ  スライドフックの先端部
５０    取付対象物
５１ａ  取付対象面
【図１】
2019186017.tif 000003
【図２】
2019186017.tif 000004
【図３】
2019186017.tif 000005
【図４】
2019186017.tif 000006
【図５】
2019186017.tif 000007
【図６】
2019186017.tif 000008
【図７】
2019186017.tif 000009
【図８】
2019186017.tif 000010
【図９】
2019186017.tif 000011
【図１０】
2019186017.tif 000012